(57)【要約】【課題】従来の吸収膜がレンズで投影された地域を赤外線検出域とするサーモパイルには、最外吸収膜の検出域が２ヶ存在し、且つ、所定の寸法より大となり、正確な計測が不能という欠点を有していた。【解決手段】レンズ内を伝播しレンズ周囲部で最外吸収膜方向に出射される光を遮断するリング状光線遮蔽機構をレンズ・チップ間に設ける。さらには、レンズ頂点付近で大きな出射角を持ち吸収膜に到達する光をカットする光線遮蔽機構を、チップ上最外吸収膜上の点とレンズ頂点とを結ぶ直線を少なくとも遮断する位置に設ける。  【選択図】図４
2006329950.tif 000002
【特許請求の範囲】
【請求項１】
二種の物質で構成された熱電対でダイヤフラム上に温接点を形成し、周囲ヒートシンク部上に冷接点を形成し、温接点上に吸収膜を設置し複数のセンサー部とするチップを形成し、さらにセンサー部をレンズで投影し検出域とするサーモパイルにおいて、レンズ・チップ間にリング状光線遮蔽機構を設けたことを特徴とするサーモパイル。
【請求項２】
チップ上最外吸収膜上の点とレンズ頂点とを結ぶ直線を少なくとも遮断する位置に光線遮蔽機構を設けたことを特徴とする請求項１のサーモパイル。
【発明の詳細な説明】
【技術分野】
【０００１】
本発明は、物体の赤外線を電気信号に変換し検出するセンサー部を複数有すサーモパイルに関するものである。
【背景技術】
【０００２】
サーモパイルは、二種の物質で構成された熱電対でダイヤフラム上に温接点を形成し、周囲ヒートシンク部上に冷接点を形成し、熱電対、冷接点及び温接点上に絶縁保護膜を設け且つ温接点上に吸収膜を設置しセンサー部とするチップ構成を採る。
センサー部である吸収膜に入射した赤外線は熱に変換され温接点の温度上昇を生じ、各熱電対材料のゼーベック定数に比例した電圧が発生する。また、この電圧は、熱電対本数、ダイヤフラム端からの吸収膜距離、吸収膜面積の寄与も受け、これらが大になると電圧も大となる。
【０００３】
例えば８ヶのセンサー部を持つサーモパイルでも同様構成となっており、例えば外形横７．０ミリメートル、縦５．０ミリメートルのサーモパイルチップに、吸収膜が８ヶ配列され、吸収膜下には１組当たり０．０３ミリメートルの寸法の熱電対と長０．０４５ミリメートル、幅０．０２３ミリメートルの温接点が複数設けられている。各吸収膜は、ダイヤフラム上に配置されている。各吸収膜周囲には、ヒートシンクが配列され、吸収膜間ヒートシンク及びチップ周囲ヒートシンク上には温接点と同一寸法の冷接点が位置する。周囲ヒートシンク部には、各検出域からの出力信号取り出しパッドが設けられている。これらパッドはステムリード等とのワイヤーボンディングを容易にするため、サーモパイルチップの1辺に集中されている。また、同一目的で各検出域の負電圧出力端子は統合され１ヶの共通パッドとなっている。
【０００４】
上記サーモパイルチップは例えばＴＯ−８等のステムにエポキシ系接着剤等でダイボンディングされ、ステムに設けられたリードとチップ周囲ヒートシンク部に設けたパッド等をボンディングワイヤーで電気的結線される。その後、入射窓に例えば、片面が平面であり、他方の面が球面である平凸レンズを設けた缶とステムは溶接される。平凸レンズ材質は例えば屈折率ｎが３．４であるシリコンが用いられている。その仕様は例えば焦点距離ｆが３．０ミリメートル、中心厚ｔｃが３．０ミリメートル、レンズ径１０．０ミリメートルのものが使用されている。
【０００５】
サーモパイルチップ上の吸収膜位置は、所定の検出域を例えば上記レンズで近軸光線理論を用いて投影した位置に設定される。図８にレンズよりの距離１００ミリメートルにおける検出域１から検出域８の８ヶ検出域を有す例を示す。この例の場合、所定検出域がＹ軸対称であるので、これを上記レンズで投影した吸収膜位置もＹ軸対称となる吸収膜１から吸収膜８を持ち、最外吸収膜位置は、チップ中心より２．８ミリメートルの位置となる。
【０００６】
平凸レンズは缶に設けた例えば直径８．０ミリメートルの円形入射窓にエポキシ系接着剤等で特願２００４−３４５０６０に記されているように遮蔽機構設けず、例えばレンズ頂点からチップまでの距離２．４ミリメートルとして固定接着されている。この距離は予め缶高さを設定した缶を用いることにより達成している。また、缶に設けた円形入射窓の軸とステム外周の軸とは、缶・ステムを嵌め合い構造を採用することにより一致させている。
以上により、各検出域の赤外線量に比例した電圧を出力とするサーモパイルが完成となる。
図９に従来のサーモパイル概念構造断面図を示す。
図１０に上記吸収膜が８ヶ配列された外形横７．０ミリメートル、縦５．０ミリメートルのサーモパイルチップの斜視概念図を示す。
【特許文献１】特願２００４−３４５０６０
【発明の開示】
【発明が解決しようとする課題】
【０００７】
従来の遮蔽機構無しの場合、チップ上最外吸収膜の検出域が、２ヶの検出域を有しており、正確な測定ができないという欠点を有していた。
【０００８】
図１１に背景技術の項で述べた、チップ上最外吸収膜がチップ中心より２．８ミリメートルであり、８ヶの吸収膜が配列された外形横７．０ミリメートル、縦５．０ミリメートルのサーモパイルチップと屈折率ｎが３．４、焦点距離ｆが３．０ミリメートル、中心厚ｔｃが３．０ミリメートル、レンズ径１０．０ミリメートルで構成されたサーモパイルのレンズよりの距離１００ミリメートルにおける各吸収膜検出域を示す。同図には比較のため、所定検出域を点線で表記している。また、Ｙ軸対称であるので、明瞭化のため、検出域１から検出域５のみを示している。検出域境界は、各検出域最大出力値の１０パーセントの値で定義されたものである。
【０００９】
図１１示したように、チップ上最外吸収膜である吸収膜１の検出域は、本来の検出域１の他に、離れた位置に検出域１‘を有している。他の検出域２から検出域５は所定の寸法・位置となっている。
【００１０】
この不具合は、チップ上最外吸収膜の反対側のレンズ周囲部に入射した光が、レンズ内を伝播した後、チップ上最外吸収膜近くのレンズ周囲部で出射され、吸収膜に到達することが原因である。
チップ上最外吸収膜の反対側のレンズ周囲部に入射した光がレンズ周囲部では、レンズ屈折率ｎが３．４と高屈折率であり、また、球面接線方向角度大であるので、全反射が生じる。全反射した光は、臨界角１７．１０度以上の角度でレンズ・空気境界に入射する場合、再度全反射を生じレンズ内を伝播する。レンズ内を伝播した光は、最外吸収膜近くに至ると、臨界角より小の入射角となる。よって、最外吸収膜近くのレンズ周囲部でレンズ内を伝播した光は、チップ方向に出射される。
【００１１】
図１２に吸収膜１のチップ中心よりの距離２．８ミリメートル地点に入射される光線のレンズ径方向軌跡を示す。この図は、角度−６０度から＋１０度まで１０度ごとの光線追跡を施したものであり、明瞭化のため缶側壁、ステム等は省略している。
図１２で、角度＋１０度で吸収膜１に入射する光が、最外吸収膜の反対側のレンズ周囲部から入射し、レンズ内を伝播した後、最外吸収膜近くのレンズ周囲部でチップ方向に出射され、吸収膜１に到達する光である。
【００１２】
さらには、従来の遮蔽機構無しの場合、チップ上最外吸収膜の検出域が所定検出域に対し、検出域寸法が大となり、正確な測定ができないという欠点も有していた。
【００１３】
図１１示したように、チップ上最外吸収膜である吸収膜１の検出域は、本来の検出域に対し、検出域Ｘ軸・Ｙ軸交点付近まで拡がり、寸法大となっている。
レンズ光軸となす角小で入射し、球面頂点付近で出射される光の出射角は大となるという性質をレンズは、有している。検出域Ｘ軸・Ｙ軸交点付近はレンズ光軸となす角小である。この地域よりレンズに入射し、レンズ球面頂点付近で出射される光の出射角は大となり、レンズ頂点と大きな角度を有するチップ上最外吸収膜である吸収膜１に到達する。
図１２における、角度−６０度及び−５０度で吸収膜１に入射する光が、上記不具合を引き起こしている光である。
【課題を解決するための手段】
【００１４】
レンズ内を伝播しレンズ周囲部で最外吸収膜方向に出射される光を遮断するリング状光線遮蔽機構をレンズ・チップ間に設ける。
レンズ頂点付近で大きな出射角を持ち吸収膜に到達する光をカットする光線遮蔽機構を、チップ上最外吸収膜上の点とレンズ頂点とを結ぶ直線を少なくとも遮断する位置に設ける。
【発明の効果】
【００１５】
レンズ内を伝播しレンズ周囲部で最外吸収膜方向に出射される光を遮断したため、チップ上最外吸収膜の検出域は、１ヶとなり、正確な測定が可能となる。
レンズ頂点付近で大きな出射角を持つ光を遮断したため、チップ上最外吸収膜の検出域は、検出域Ｘ軸・Ｙ軸交点付近まで位置せず所定寸法・位置となり、正確な測定が可能となる。
【発明を実施するための最良の形態】
【００１６】
サーモパイルチップは基板材上にダイヤフラム構成膜形成した後、熱電対パターン、絶縁保護膜、吸収膜の順で作製され、最後に裏面よりエッチングしダイヤフラムを作製する。
熱電対パターン、絶縁保護膜、吸収膜、ダイヤフラムは成膜・露光・エッチング等の半導体工程手法を使用して作製され、予め多数のチップが得られるように設計されたフォトマスクが使用される。
サーモパイルチップを多数形成した基板材はダイシングソー等で切断され、ＴＯ−８等のステムにダイボンダー等でダイボンディングする。その後、ステムリードとチップ上に設けたパッドとを金ワイヤー等でワイヤーボンディングする。
次に、缶にエポキシ系接着剤等で接着した平凸レンズに、リング状光線遮蔽機構をレンズ・チップ間に装着する。さらには、チップ上最外吸収膜上の点とレンズ頂点とを結ぶ直線を少なくとも遮断する位置に光線遮蔽機構をレンズに付加する。これら作業を実施した後、缶とステムを溶接する。
以上により、リング状光線遮蔽機構及びチップ上最外吸収膜上の点とレンズ頂点とを結ぶ直線を少なくとも遮断する位置に光線遮蔽機構を設けたサーモパイルが完成となる。
【実施例１】
【００１７】
以下に本発明実施例として、背景技術の項で記した、チップ上最外吸収膜がチップ中心より２．８ミリメートルであり、８ヶの吸収膜が配列されたサーモパイルチップと平凸レンズを有し、リング状光線遮蔽機構を設けたサーモパイル作製手順例を記す。
サーモパイルチップは一例として下記作製手順で作製される。
【００１８】
基板材を一例として厚０．４ミリメートルのシリコンウェハーとし、シリコンウェハー上に酸化ケイ素、窒化シリコン等の例えば総厚０．００２ミリメートルの膜をＣＶＤ法等により形成する。これら膜がダイヤフラム構成膜となる。
【００１９】
熱電対は例えば一方をニクロム、他方をビスマスアンチモン等の異なるゼーベック定数を持つ二種の材料が用いられ、上記成膜したシリコンウェハー上に熱電対パターンを多数形成する。この時、成膜・露光・エッチング等の半導体工程手法を使用し、例えばニクロム幅０．００６ミリメートル、ビスマスアンチモン幅０．０１ミリメートル、両者の間隔を０．００７ミリメートルとする熱電対1組当たり０．０３ミリメートル、接点長０．０４５ミリメートル、接点幅０．０２３ミリメートルの微細パターンが形成される。露光工程には予めパターン設計したフォトマスクを用いる。
他の熱電対材料例として、一方をポリシリコン、他方をアルミニウムとしてもよい。
【００２０】
さらに、熱電対、冷接点及び温接点上に位置する絶縁保護膜として例えば、厚０．００２ミリメートルのポリイミド膜を全面コーティング後露光・エッチング等の半導体工程手法にて所定形状に加工する。
【００２１】
その後出力取り出し用パッドしてアルミニウム等のパッドを成膜・露光・エッチング等の半導体工程手法を用い設ける。このパッドは金ワイヤー、アルミニウムワイヤー等でワイヤーボンディング可能な例えば長０．１２ミリメートル幅０．１ミリメートル等のサイズに予め設定されている。また、パッド下地には、シリコンウェハーに対する付着強度大であるニクロムが予め設けられている。
各検出域からの正電圧出力信号取り出し用パッドは、チップ作製最終工程でダイヤフラム形成時にチップ周囲ヒートシンクとなる地点に設定されている。これらパッドは後述するステムリード等とのワイヤーボンディングを容易にするため、チップ周囲ヒートシンクの１辺に集中されている。また、同一目的で各検出域の負電圧出力端子は統合され１ヶの共通パッドとなっている。
【００２２】
続いて、例えば厚０．００１ミリメートル吸収膜を成膜・露光・エッチング等の半導体工程手法により作製する。これは、一例として吸収膜が８ヶ配列され、チップ上最外吸収膜を２．８ミリメートルとする等の吸収膜位置・間隔を予め設定したフォトマスクを用いて作製される。吸収膜形成域がサーモパイルセンサー部となる。
【００２３】
その後、裏面保護パターンをフォトレジスト等で露光等の半導体工程手法で形成し、フッ化炭素系ガスを用い、高密度プラズマエッチング装置等でプラズマエッチングしダイヤフラムを作製する。この時フッ化炭素系ガスは、横方向エッチングスピード低で垂直なエッチングが可能な構成のガスが選定される。
予め裏面保護パターンを吸収膜間及びチップ周囲部に設定しておくと、ヒートシンクが吸収膜間及びチップ周囲に形成される。熱電対パターンフォトマスクに於ける冷接点位置設定により、ヒートシンク上に冷接点が位置することとなる。
【００２４】
上述した基板材上に多数形成された４行４列サーモパイルチップは一例として、材質を屈折率ｎが３．４であるシリコン、焦点距離ｆが３．０ミリメートル、中心厚ｔｃが３．０ミリメートル、レンズ径１０．０ミリメートルの平凸レンズを用い、レンズ頂点からチップまでの距離２．４ミリメートルとして以下手順でアセンブリされる。
【００２５】
サーモパイルチップを多数形成した例えば厚０．４ミリメートルのシリコンウェハーをカット用シートに貼り付けた後、ダイシングソー等で所定寸法例えば横７．０ミリメートル、縦５．０ミリメートル等に切断加工する。このとき切りしろを考慮し、チップは例えば横７．０５ミリメートル、縦５．０５ミリメートルで基板材上に配置しておく。
【００２６】
次にカット用シートごとダイボンダーにセットし、ＴＯ−８等のステムにサーモパイルチップを例えばエポキシ系接着剤を用い所定位置にダイボンディングする。
その後、例えば線径０．０２５ミリメートルの金ワイヤーでチップ周囲ヒートシンク部に設けたパッドとステムに設けられたリードとをワイヤーボンダー等の装置を用い電気的結線する。
【００２７】
さらに、例えば缶の直径８．０ミリメートルの円形入射窓に球面を内側としてエポキシ系接着剤等で平凸レンズを接着した後、リング状光線遮蔽機構の例として、例えば内径６．０ミリメートル、厚０．７ミリメートルの黒色ポリカーボネイト等の非透過性材料で作製したリングをレンズにエポキシ系接着材等で装着する。
他のリング状光線遮蔽機構の例としては、例えばレンズ周囲部をカーボン等の光吸収性材料を含有させたエポキシ系接着剤等で内径６．０ミリメートルの寸法で充填してもよい。
このリング状光線遮蔽機構を設ける作業は、容易に実施でき、アセンブリ工程が複雑化することは無い。
【００２８】
次に、缶とステムを溶接する。レンズ頂点からチップまでの距離２．４ミリメートルは予め缶高さを設定した缶を用いることにより達成する。ここで、缶に設けた円形入射窓の軸とステム外周の軸とは、缶・ステムを嵌め合い構造を採用することにより一致させている。
【００２９】
以上により、リング状光線遮蔽機構を設けたサーモパイルが完成となる。
図１に上記実施例の内径６．０ミリメートル、厚０．７ミリメートルのリング状光線遮蔽機構を設けたサーモパイル概念構造断面図を示す。
【００３０】
図２に上記実施例の内径６．０ミリメートル、厚０．７ミリメートルのリング状光線遮蔽機構を設けたサーモパイルのレンズよりの距離１００ミリメートルにおける各吸収膜検出域測定結果を示す。
同図には比較のため、所定検出域を点線で表記している。また、Ｙ軸対称であるので、明瞭化のため、検出域１から検出域５のみを示している。
上述例は、背景技術の項で記載したサーモパイルとチップ仕様、レンズ仕様等は同一であり、唯一リング状光線遮蔽機構が付加されたのみである。
図２に示したように、最外吸収膜である吸収膜１の検出域は、本来の検出域と離れた位置の検出域１‘は存在せず、検出域１のみとなる。
【００３１】
図３に上記実施例の内径６．０ミリメートル、厚０．７ミリメートルのリング状光線遮蔽機構を設けたサーモパイルの光線追跡図を示す。
これは、最外吸収膜である吸収膜１のチップ中心よりの距離２．８ミリメートル地点に入射される光線のレンズ径方向の軌跡を示し、角度−６０度から＋１０度まで１０度ごとの光線追跡を施したものであり、明瞭化のため缶側壁、ステム等は省略している。同図は明確化のため、光線遮断点を×で表記し、また遮断された光線を点線で表記している。
図３より明らかなように、検出域１‘の原因であった角度＋１０度で吸収膜１に入射する光がリング状光線遮蔽機構で遮断されている。
【００３２】
また、リング状光線遮蔽機構を装着しても、最外吸収膜以外の吸収膜よりレンズを見込む角は不変であるので、これら吸収膜に入射される光量は不変となり、出力変動は生じない。
最外吸収膜においても、所定の検出域より入射する光量は不変となり、出力変動は生じない。
表１は、内径６．０ミリメートル、厚０．７ミリメートルのリング状光線遮蔽機構有無状態での検出域１から検出域５の出力測定結果であり、比較簡単化するため、リング状光線遮蔽機構無状態の各検出域出力を１．００として規格化している。
表１より、リング状光線遮蔽機構有無状態での出力に変化は無く、リング状光線遮蔽機構が他の光学特性に影響を与えない。ここで、リング状光線遮蔽機構無時の検出域１出力は、所定外の検出域１‘の出力を含んでいない。
【表１】
2006329950.tif 000003
上述結果より、リング状光線遮蔽機構が、他の光学特性に影響を与えず、最外吸収膜の所定外の検出域を解消することが、確認された。
【実施例２】
【００３３】
他の実施例として、上述リング状光線遮蔽機構に加え、チップ上最外吸収膜上の点とレンズ頂点とを結ぶ直線を少なくとも遮断する位置にも光線遮蔽機構を設けたサーモパイルは、実施例１のリング状光線遮蔽機構形成工程以降を以下手順に変更することで作製される。
リング状光線遮蔽機構寸法を例えば、内径６．０ミリメートル、厚０．７ミリメートルとする。
これに黒色ポリカーボネイト等の非透過性材料で作製した例えば幅０．３ミリメートル、高さ１．０ミリメートルの板２枚を間隔１．０ミリメートルとし、片持ち梁構造としてエポキシ系接着剤等で接着付加する。これら板の片持ち梁長さを例えば３．５ミリメートルとする。
【００３４】
上記一体化した遮蔽機構を缶に接着済みのレンズに例えばエポキシ系接着剤等で接着装着する。
この接着はレンズ頂点よりリング状光線遮蔽機構下面がチップ側に位置することとなり、レンズに片持ち梁が接触せず容易に装着作業が可となる。
【００３５】
次に片持ち梁構造の２枚板の方向を最外吸収膜となす角が小である例えばＹ方向とし、片持ち梁固定端を＋Ｙ方向として缶とステム溶接すると、リング状光線遮蔽機構に加え、チップ上最外吸収膜上の点とレンズ頂点とを結ぶ直線を少なくとも遮断する位置にも光線遮蔽機構を設けたサーモパイルが作製される。
【００３６】
上記一体化した遮蔽機構は接着以外にも、金型成型等の方法でも作製可能である。
また、上述例は片持ち梁機構としているが、両持ち梁機構でも作製は可能であり、遮蔽板２枚としているが、これも１枚等他の枚数でも可である。
さらには、レンズ上に直接、黒色ポリカーボネイト等の非透過性材料で作製した例えば幅０．３ミリメートル、高さ１．０ミリメートルの板２枚を間隔１．０ミリメートルで接着する方法も可である。
【００３７】
図４に上記実施例２の内径６．０ミリメートル、厚０．７ミリメートルのリング状光線遮蔽機構とチップ中心と最外吸収膜の最外点を結ぶ直線を横切る方向に、例えば幅０．３ミリメートル、高さ１．０ミリメートルの板をレンズ中心から０．５ミリメートルの位置に２枚で形成された光線遮蔽機構とを一体化し装着したサーモパイル概念構造断面図を示す。
また、図７に上記一体化した遮蔽機構斜視図を示す。
【００３８】
図５に上記実施例２の内径６．０ミリメートル、厚０．７ミリメートルのリング状光線遮蔽機構とチップ中心と最外吸収膜の最外点を結ぶ直線を横切る方向に、例えば幅０．３ミリメートル、高さ１．０ミリメートルの板をレンズ中心から０．５ミリメートルの位置に２枚で形成された光線遮蔽機構とを一体化し装着したサーモパイルの光線追跡図を示す。これは、最外吸収膜である吸収膜１のチップ中心よりの距離２．８ミリメートル地点に入射される光線のレンズ径方向軌跡を示し、角度−６０度から＋１０度まで１０度ごとの光線追跡を施したものであり、明瞭化のため缶側壁、ステム等は省略している。同図は明確化のため、光線遮断点を×で表記し、また遮断された光線を点線で表記している。
【００３９】
図５に示したように、検出域１‘の原因であった角度＋１０度で吸収膜１に入射する光は、リング状光線遮蔽機構で遮断される。また、検出域１が検出域Ｘ軸・Ｙ軸交点付近まで拡がる原因であったレンズ頂点付近を通過し、大きな出射角度を持つ角度−６０度及び角度−５０度で吸収膜１に入射する光は、幅０．３ミリメートル、高さ１．０ミリメートルの板２枚で形成された光線遮蔽機構で遮断される。
【００４０】
図６に上記他の実施例の内径６．０ミリメートル、厚０．７ミリメートルのリング状光線遮蔽機構とチップ中心と最外吸収膜の最外点を結ぶ直線を横切る方向に、例えば幅０．３ミリメートル、高さ１．０ミリメートルの板をレンズ中心から０．５ミリメートルの位置に２枚で形成された光線遮蔽機構とを一体化し装着したサーモパイルのレンズよりの距離１００ミリメートルにおける各吸収膜検出域測定結果を示す。同図には比較のため、所定検出域を点線で表記している。また、Ｙ軸対称であるので、明瞭化のため、検出域１から検出域５のみを示している。
【００４１】
図６に示したように、最外吸収膜である吸収膜１の検出域は、検出域１のみとなり、リング状光線遮蔽機構により検出域１‘を消去する機能は不変である。
さらに、最外吸収膜である吸収膜１の検出域１が検出域Ｘ軸・Ｙ軸交点付近まで拡がることなく、所定の寸法となっている。他の検出域においても検出域寸法・位置は不変である。最外吸収膜以外の各吸収膜において、吸収膜より光線遮蔽機構が見込む角よりレンズを見込む角が大であるので、検出域寸法・位置は不変となる。
【００４２】
しかし、最外吸収膜である吸収膜１は光線遮蔽機構にて吸収膜入射光を遮断しているため、出力低下が発生する。他の吸収膜においても、吸収膜よりレンズを見込む角内に光非透過性材料が存在するため、吸収膜入射光量変動即ち出力低下が発生してしまう。
【００４３】
表２は、実施例２で記載した一体化した光線遮蔽機構有無状態での検出域１から検出域５の出力測定結果であり、比較簡単化するため、遮蔽機構無状態の各検出域出力を１．００として規格化している。
ここで、遮蔽機構無時の検出域１出力は、所定外の検出域１‘の出力を含んでいない。
表２より、一体化した光線遮蔽機構有であっても、出力低下は最大１５パーセントに留まり、これは、熱電対本数の１５パーセント増等の方法で対処可能な値である。
検出域４の出力変化小の原因は吸収膜設置方向と板状遮蔽板が概ね直角となり、板状遮蔽板を見込む角が小となっているためである。
【表２】
2006329950.tif 000004
上述結果より、一体化した光線遮蔽機構が大きな出力低下を伴わず、所定の検出域をすることが、確認された。
尚、本発明は他の仕様のサーモパイル例えば外形角７．０ミリメートル、吸収膜数１２ヶ等、他の仕様のレンズ例えば材質シリコン、焦点距離ｆ４．０ミリメートル、中心厚ｔｃ４．０ミリメートル、レンズ径１２ミリメートルの平凸レンズ等にも適用できる。
【図面の簡単な説明】
【００４４】
【図１】本発明実施例１のリング状光線遮蔽機構を設けたサーモパイルの概念構造断面図である。
【図２】本発明実施例１のリング状光線遮蔽機構を設けたサーモパイルの各吸収膜検出域を示した図である。
【図３】本発明実施例１のリング状光線遮蔽機構を設けたサーモパイルの最外吸収膜に入射される光線の軌跡を示した図である。
【図４】本発明実施例２のリング状光線遮蔽機構及び、チップ上最外吸収膜上の点とレンズ頂点とを結ぶ直線を少なくとも遮断する位置にも光線遮蔽機構を設けたサーモパイルの概念構造断面図である。
【図５】本発明実施例２のリング状光線遮蔽機構及び、チップ上最外吸収膜上の点とレンズ頂点とを結ぶ直線を少なくとも遮断する位置にも光線遮蔽機構を設けたサーモパイルの最外吸収膜に入射される光線の軌跡を示した図である。
【図６】本発明実施例２のリング状光線遮蔽機構及び、チップ上最外吸収膜上の点とレンズ頂点とを結ぶ直線を少なくとも遮断する位置にも光線遮蔽機構を設けたサーモパイルの各吸収膜検出域を示した図である。
【図７】本発明実施例２のリング状光線遮蔽機構とチップ上最外吸収膜上の点とレンズ頂点とを結ぶ直線を少なくとも遮断する位置に光線遮蔽機構とを一体化したものの概念斜視図である。
【図８】各吸収膜の所定検出域を示した図である。
【図９】従来サーモパイルの概念構造断面図である。
【図１０】８ヶの吸収膜を有すサーモパイルチップの構造を示す斜視概念図である。
【図１１】従来サーモパイルの各吸収膜検出域を示した図である。
【図１２】従来サーモパイルの最外吸収膜に入射される光線の軌跡を示した図である。
【符号の説明】
【００４５】
１平凸レンズ
２サーモパイルチップ
３サーモパイルチップセンサー部
４缶
５入射窓
６ステム
７リード
８ボンディングワイヤー
９リング状遮蔽機構
１０遮蔽板
１１角度＋１０度入射光
１２角度−５０度入射光
１３角度−６０度入射光
１４検出域１
１５検出域１‘
１６検出域２
１７検出域３
１８検出域４
１９検出域５
２０検出域６
２１検出域７
２２検出域８
２３吸収膜１
２４吸収膜２
２５吸収膜３
２６吸収膜４
２７吸収膜５
２８吸収膜６
２９吸収膜７
３０吸収膜８
３３温接点
３４冷接点
３３熱電対
３５パッド
３６負電圧出力共通パッド
３７ダイヤフラム
３８所定検出域１
３９所定検出域２
４０所定検出域３
４１所定検出域４
４２所定検出域５
４３所定検出域６
４４所定検出域７
４５所定検出域８
【図１】
2006329950.tif 000005
【図２】
2006329950.tif 000006
【図３】
2006329950.tif 000007
【図４】
2006329950.tif 000008
【図５】
2006329950.tif 000009
【図６】
2006329950.tif 000010
【図７】
2006329950.tif 000011
【図８】
2006329950.tif 000012
【図９】
2006329950.tif 000013
【図１０】
2006329950.tif 000014
【図１１】
2006329950.tif 000015
【図１２】
2006329950.tif 000016